(57)【要約】コンテナー内の物質レベルを測定するデバイスを提供する。 デバイスは、少なくとも部分的にコンテナーから取り外されたときにデバイスに取り付けられたままであるように、コンテナーのコンテナーに取り付け可能なコンテナーアセンブリを含む。このデバイスは、さらにケースユニット内に配置された製造ユニットと、ケースユニット内に配置された最初のセンサーと、ケースユニット内に配置されたコンテナーとコントローラを備えている。コントローラは、コンテナー内の製品の存在の様子およびコンテナー内の製品の生産を提供するように設計されている。
2019504309.tif 000002
【特許請求の範囲】
【請求項１】
以下を含むデバイス；
飲料を入れるコンテナーのキャップ上の取り外し可能なケースユニットであって、キャップがコンテナーから少なくとも部分的に取り外される際、ケースユニットは、キャップに附属したままであるように設計されている、
ケースユニット内にあるシグナル発生ユニット、
コンテナー内の飲料レベルを検知するケースユニット内にある最初のセンサー、
及び
ケースユニット内にあるコントローラーであって、コントローラーは、最初のセンサーからのコンテナー内の飲料のレベルの検知を受け取り少なくともコンテナー内の飲料の様子に基づいてシグナル発生ユニットを活性化するように設定されている。
【請求項２】
請求項１に記載のデバイスであって、ケースユニットがさらにコンテナーのキャップ上でフィットするように形成されている、デバイス。
【請求項３】
請求項１または２に記載のデバイスであって、ケースユニットがコンテナーのキャップの上で回して閉じるように設計されている、デバイス。
【請求項４】
さらにケースユニットに附属される底カバーを有している請求項１〜３のいづれか一に記載のデバイスであって、シグナル発生ユニット、最初のセンサー、コントローラーがケースユニットと底カバーの間に配置されている、デバイス。
【請求項５】
請求項４に記載のデバイスであって、底カバーが凹み部分を有し、ケースユニットがコンテナーのキャップ上で閉じているときに凹み部分がキャップのノズルに揃えて配置されるよう設計されている、デバイス。
【請求項６】
さらにケースユニット内にプリント回路基板を有する請求項１〜５のいづれか一に記載のデバイスであって、少なくともコントローラーとシグナル発生ユニットがプリント回路基板上に置かれている、デバイス。
【請求項７】
さらにコンテナーのキャップ上でのケースユニットの開閉を感知するためにケースユニット内にある第2のセンサーを含む、請求項１〜６のいづれか一に記載のデバイス。
【請求項８】
請求項１〜７のいづれか一に記載のデバイスであって、さらに環境条件を感知するためにケースユニット内にある第3のセンサーを有し、環境条件の様子を第3のセンサーから受け取るようコントローラーが設定されており、環境条件の様子に少なくとも基づいてシグナル発生ユニットの活性を変更するようにコントローラーが設定されている、デバイス。
【請求項９】
さらにコントローラーに関連した通信ユニットを有する請求項１〜８のいづれか一に記載のデバイスであって、コントローラーは、通信ユニットを介してユーザーのデバイスと通信するように設定されている、デバイス。
【請求項１０】
請求項１〜９のいづれか一に記載のデバイスであって、最初のセンサーは、光学センサー、静電容量センサー、超音波センサーから選択されている、デバイス。
【請求項１１】
請求項１〜１０のいづれか一に記載のデバイスであって、シグナル発生ユニットは、オーディオユニット、発光源、振動ユニットから選択されている、デバイス。
【請求項１２】
さらにバッテリーを保持するよう設計され、そのコントローラーを操作するために電気的に接続されているバッテリーホルダーを有する請求項１〜１１のいづれか一に記載のデバイスであって、バッテリーホルダーはケースに附属している、デバイス。
【請求項１３】
さらにバッテリーを有する請求項１２に記載のデバイス。
【発明の詳細な説明】
【技術分野】
【０００１】
本発明は、物質コンテナーと接続されている測定・ アラーム通信システムに一般的に関連するものであり、ネットワークを介してユーザーのコンピューティングデバイスにデータ通信する、物質コンテナーと接続されている測定・アラーム通信システムにより特化して関連する。
【背景技術】
【０００２】
水や液体は人間に不可欠である。体のすべてのシステムは、水や液体に依存する。55から75%が水でできている人間の体は、適時水分補充が必要である。水の不足は、脱水症状、体内の正常な機能を行うのに十分な水がないときに発生するような状態を引き起こし得る。軽度の脱水- 体重の1%から2%の損失 - でさえ、エネルギーを消費させ、人を疲れさせる。
【０００３】
脱水は、子供や高齢者に特有の健康リスクをもたらす。脱水の様子や症状には、のどの渇き、倦怠感、頭痛、口渇だけでなく、無排尿、筋肉の脱力感、めまいなども含まれる。人々はどこに行くにもボトルに入った水を持ち運んでいるようである。世界中の医療従事者は、一日にコップ8杯の水を飲むよう勧めている。
【０００４】
水を飲むことには他にたくさんの理由がある。水を飲むための主要な理由には、体液バランスの維持、カロリーのコントロール、筋肉の活性化、肌質の維持や腎臓を助けることが含まれる。地域、国、気候の特徴のようなさまざまな要因によって、異なる年齢や体重では、一日あたり異なる量の水を飲む必要がある。
【０００５】
液体、粉末、錠剤など様々 な物質を含む各種機器が知られている。そのような機器は通常、物質のレベルを測定するのにスケールマーク法を使用する。しかし、このような方法は時間がかかり、物質のレベルを正確には測定しない。さらに、そのような機器は、物質の消費量に基づいてアラームシグナルを上手く提供できない。
【０００６】
したがって、センサーを用いた物質コンテナー内の物質レベルを想起、測定するデバイスの必要性がある。さらに、デバイスは、コンピューティングデバイスにユーザーによって使用される物質を通信する。
【発明の概要】
【発明が解決しようとする課題】
【０００７】
本発明の教示に従い、コンテナー内の飲料や液体のレベルを測定するデバイスが提供される。
【課題を解決するための手段】
【０００８】
本発明のいくつかの実施形態は、フィットしたエレメント〔凹みが首やノズルに平行に配置されている首やノズル、コンテナーのキャップに接続されているプリント回路基板、プリント回路基板とキャップの凹みの間に置かれた最初のセンサー（コンテナーの内部レベルを測り、物質レベルの測定に基づいて検出シグナルを発生する）、プリント基板上に配置されたバッテリー〕を受け取るように設計された凹みを含むキャップを伴うデバイスの提供をする。
【０００９】
いくつかの実施形態では、プリント回路基板上にバッテリーを保持するためのケースに附属しているバッテリーホルダー、検知シグナルの分析に基づくアラームシグナルを発生するためにプリント回路基板に接続されているコントローラーがデバイスに含まれる。コントローラーは、ワイヤレスでコンピューティングデバイスと通信する。バッテリーホルダーはバッテリーを保持するために設計されている可能性があり、バッテリーがバッテリーケース内にきちんと置かれると、コントローラーの電源に電気的に接続する。
【００１０】
いくつかの実施形態では、コントローラーからのアラームシグナルを受信時に出力シグナルを発生するための出力ユニット、コンピューティングデバイスと通信するためのワイヤレス通信ユニット、デバイスのコンポーネントを収納するためのコンテナーのキャップに接続しているケースユニットをデバイスは含む。
【００１１】
いくつかの実施形態では、最初のセンサーには、光学センサー、静電容量センサー、超音波センサーの少なくとも一つが含まれる。コントローラーからのアラームシグナルを受信すると音声シグナルを発生するプリント回路基板に接続されているオーディオユニットの少なくとも一つ、コントローラーからのアラームシグナルを受信し点灯するためプリント回路基板に接続されている一つまたは複数の発光源、コントローラーからのアラームシグナルを受信し振動シグナルを発生するプリント回路基板に接続されている振動ユニットが出力ユニットに含まれる。
【００１２】
本発明のいくつかの実施形態には、例えば、少なくとも一つのワイヤレストランシーバーとワイヤレストランスミッターを含むワイヤレス通信ユニットが含まれる。本発明のいくつかの実施形態では、さらに2番目のセンサーがコントローラーに検知シグナルを送り、コンテナーからキャップを取り外したりするのを感知する 2 番目のセンサーが含まれることができる。 
【００１３】
発明のいくつかの実施形態は、キャップが少なくとも部分的にコンテナーから外される際、ケースユニットがキャップに取り付けられたままになるよう、飲み物を保持するためのコンテナーのキャップに取り外し出来るように取り付けられたケースユニットを含む。いくつかの実施形態ではさらに、ケースユニットにあるシグナル発生ユニット、コンテナー内飲料のレベルを感知するケースユニットにある最初のセンサー、ケースユニットにあるコントローラーがデバイスに含まれる。いくつかの実施形態では、コンテナー内飲料レベルの様子を最初のセンサーから受信し、シグナル発生ユニットを活性化するように、コントローラーが設定されている。
【００１４】
いくつかの実施形態において、ケースユニットはさらにコンテナーのキャップを覆ってフィットするように形成されている。いくつかの実施形態では、ケースユニットがコンテナーのキャップを覆って回して閉じるように設計されている。いくつかの実施形態では、最初のセンサーが光センサー、静電容量センサー、超音波センサーのいずれかとなっている。いくつかの実施形態では、生産シグナルユニットがオーディオユニット、発光源、振動ユニットのいずれかである。
【００１５】
いくつかの実施形態ではさらにシグナル発生ユニットのあるところにカバーユニットに付随した底カバーがあり、最初のセンサー、カバーユニットと底カバーの間にあるコントローラーを含む。いくつかの実施形態では底カバーが凹み部分を有し、コンテナーのキャップを覆いケースユニットを閉じたときキャップのノズルに揃えて配置されるように凹み部分が設計されている。
【００１６】
いくつかの実施形態ではさらにデバイスはケースユニット内にあるプリント回路基板を含み、少なくとも一つのコントローラーとシグナル発生ユニットがプリント回路基板上に置かれている。いくつかの実施形態では、さらにデバイスにはコントローラーに関連付けられた通信ユニットが含まれており、前記コントローラーがさらに通信ユニットを介してユーザーと通信するよう設計されている。いくつかの実施形態では、さらにデバイスは、バッテリーホルダーが保有するバッテリーを附属する。
【００１７】
いくつかの実施形態では、さらにデバイスにはコンテナーのキャップの上に、ケースユニットの開閉を感知するケースユニットにある2 番目のセンサーが含まれる。いくつかの実施形態では、さらにデバイスに環境条件を感知するケースユニットにある第 3 のセンサーが含まれる。さらにいくつかの実施形態では、環境条件を感知する第3 のセンサーから受信し、少なくとも環境条件の様子に基づいて、シグナル発生ユニットの活性を変化させるように設定されたコントローラーがある。 
【００１８】
これらおよび他の機能と利点は、添付の図解に関連して明記され、以下に続く例示的実施形態の解説により明らかとなっている。
【図面の簡単な説明】
【００１９】
【図１】図 1 は本発明のいくつかの実施形態に従って物質のレベルを測定するためコンテナーに接続されたデバイスの分解図を示す。
【００２０】
【図２】図 2 は本発明のいくつかの実施形態に従ってデバイスの透視図を示す。
【００２１】
【図３】図 3 は、本発明のいくつかの実施形態に従ってコンテナーのキャップにクリップされたクリップオンデバイスの分解図を示す。
【００２２】
【図４】図 4 は、本発明のいくつかの実施形態に従ってコンテナーに取り外しできるように附属されたクリップオンデバイスの透視図を示す。
【００２３】
本発明の特定の実施形態の以下の詳細な説明と同じく、前述の概要は添付の図解と併せてよむことにより、よく理解可能である。発明の説明目的のために、特定の実施形態が図解に表示されている。ただし、本発明は添付された図解に示されたアレンジメントや使用方法に限定するものではない。
【発明を実施するための形態】
【００２４】
この技術は特定の実施例が記載され、解説されているが、物質のレベルを測定するためのデバイスは異なったサイズ、形および色で生産されうる。これは、本開示が図面に描かれ、発明とその構造に関連する機能的仕様の実例の図解として考慮されるという理解と共に、本発明の例示的実施形態として、ここに詳細に説明されるが、示した実施形態に本発明を限定するものではない。当業者はここに記載された技術の範囲内で可能な多くのバリエーションを想定可能である。
【００２５】
図 1 は、本発明のいくつかの実施形態に従ってコンテナー 102 内の物質レベルを測定するためのデバイス100 の分解図を示す。デバイス100は、コンピューティングデバイスと通信する。コンテナー 102には、物質を受信するための首 103 が含まれる。好ましい実施形態では、首103は注ぎ口である。物質の例には、水、ジュース、コーヒー、栄養サプリメント等などの粉末が含まれるがその限りではない。
【００２６】
デバイス 100には、キャップ 104、プリント回路基板 106、最初のセンサー 108、バッテリー110、バッテリー ホルダー 112、コントローラー 114、出力ユニット 116 、ケースユニット 118が含まれる。キャップ 104 は、 コンテナー102 の首 103 を受け取るように設計されている。キャップ 104 には、コンテナー 102 内の物質レベルをセンサーが測定できるように凹み 105 が含まれる。
【００２７】
プリント回路基板 106 はコンテナー 102 のキャップ 104 のトップに附属されている。最初のセンサー108は、プリント回路基板106 とキャップ104の凹み105の間に位置している。最初のセンサー 108は、コンテナー102の首103 を通ってコンテナー102内部の物質レベルを測定する。最初のセンサー108の例として、光センサー、静電容量センサー、ソニック/超音波センサーが含まれるがその限りではない。
【００２８】
バッテリー 110 は、プリント回路基板106の上に配置されている。バッテリー 110 の例としてリチウム電池があるが、その限りではない。バッテリーホルダー112 は、プリント回路基板106のバッテリー 110 を保持している。バッテリーホルダー112の形状とサイズは、バッテリー 110 のサイズに従って設定される。
【００２９】
コントローラー114は感知されたシグナルの解析に基づいてアラームシグナルを発生するためプリント回路基板106 に接続されている。さらに、コントローラー114はコンピューティングデバイスとワイヤレスに通信する。コントローラー114の例としては、マイクロコントローラー、マイクロプロセッサ、DSP、ASICなどがあるが、その限りではない。
【００３０】
出力ユニット 116 は、コントローラー114からのアラームシグナル受信時に出力シグナルを発生する。出力ユニット116 の例として、コントローラー114 からアラームシグナルを受け取ると音声シグナルを発生するオーディオユニット、コントローラー114からアラームシグナルを受信すると点灯するように接続されている一つまたは複数の発光源、コントローラー114からのアラームシグナルを受信すると振動を発生する振動ユニットが含まれるが、その限りではない。発光源の例としては、LED、有機照明、蛍光効果があり、オーディオユニットの例としては、スピーカー、ブザー、圧電ブザー等があるが、その限りではない。
【００３１】
ケースユニット 118 は、プリント回路基板 106、最初のセンサー108 、バッテリー110、バッテリーホルダー 112、コントローラー 114、出力ユニット 116を収納するためキャップ 104に接続されている。ケースユニット 118 はキャップ102の形とサイズに従って設計されている。
【００３２】
本発明の別の実施形態では、デバイス 100 がさらにコンピューティングデバイスとワイヤレスで通信するためのプリント回路基板106 に接続するワイヤレス通信ユニット 120 を有している。コンピューティングデバイスは、本発明の図 2 と併せて詳しく説明されている。
【００３３】
ワイヤレス通信ユニット 120 は、ワイヤレス技術、近距離通信、ソニック/超音波技術や光技術などの通信技術のさまざまな方法を使用できうる。ワイヤレス技術の例としては、Bluetooth、Bluetoothスマート (BLE)、Wi-Fi、ANT、ZigBee、またはその他の独自の通信プロトコル/周波数（帯域）があるが、その限りではない。
【００３４】
近距離通信の例としては、磁気NFC、無線識別 (RFID) が含まれるがその限りではない。ソニック/超音波の技術の例では、音を介した通信または音が聞こえない周波数があるがその限りではない。さらに光通信技術には目に見えるもの(例えばLED の点滅) と目に見えないもの (すなわち IR LED) があるが、それに限定はされない。
【００３５】
本発明の別の実施形態では、デバイス 100 にはコントローラー114の検知シグナルを発生するためコンテナー102 からキャップ104 の開閉を感知する 2 番目のセンサー 122 が含まれる。2 番目のセンサー122 の例として、タッチセンサー、ジャイロセンサー、振動センサー、磁気センサー、光センサー、電気機械センサーがあるがそれに限定されない。
【００３６】
本発明の実施形態では、2 番目のセンサー122 の使用はバッテリーの消費を減らすためである。2番目のセンサー122 は、最初のセンサー108 の操作プロファイルを制御する。できれば、最初のセンサー108 は、2 番目のセンサー122 によってキャップ104 の開閉の検知後にのみ物質のレベルを測定する。
【００３７】
さらに、2 番目のセンサー122 は、ワイヤレス通信ユニット 120 の操作を制御する。コントローラー114は、2番目のセンサー122 から検知シグナルを受信するコンピューティングデバイスに情報を送信するため、ワイヤレス通信ユニット 120 にシグナルを送信する。ワイヤレス通信ユニット120 からの波は、2 番目のセンサー122 によって制御されると減少する。
【００３８】
本発明の別の実施形態では、さらにデバイス 100 に、キャップ 104 の環境条件を測定する第3 のセンサー 124 が含まれる。第 3 のセンサー124の例としては、湿度センサー、温度センサー、UV センサー、光センサー、加速度計、ジャイロセンサー、磁気センサー、気圧センサーなどが含まれるがその限りではない。
【００３９】
図 2 は、本発明のいくつかの実施形態に従ってデバイス 100 の透視図を示す。出力ユニット116 はLED で、コンテナーから飲むようユーザーにアラームシグナルを示すために点灯する。コントローラー (図 2 には表示されていない) またはワイヤレス通信ユニット(図 2 には表示されていない) は、コンピューティングデバイス202 と通信する。
【００４０】
コンピューティングデバイス202の例として、携帯、スマートフォン、iPad、タブレット、phablet、スマートウォッチ、コンピューター、ラップトップ、ハンドヘルド コンピューター、デスクトップ、ディスプレイデバイスや当社のシステムとワイヤレスでやり取りすることができるその他のコンピューティングデバイスがあるが、その限りではない。
【００４１】
本発明の別の実施形態では、コントローラー (図 2 には表示されていない) は、アラームシグナルを発生するためにコンピューティングデバイス202 からシグナルを受信する。例えば、コンピューティングデバイス 202 は、LED を点灯するシグナルを発生し、したがってシグナルはコントローラーに送られ、そして出力ユニット116が LED の点灯のような出力シグナルを発生するためにコントローラーからアラームシグナルを送信する。
【００４２】
図3 は、本発明のいくつかの実施形態に従ってデバイス 300 の分解図を示す。デバイス300 は、飲料レベルを測定し、コンピューティングデバイスと通信をするコンテナー 304のキャップ 302 上にクリップされうる。コンテナー 302 には、物質を受けとる首305 が含まれる。いくつかの実施形態では、デバイス 300 には飲料を保持するためのコンテナー 304のキャップ302に取り付けられるケースユニット 320が含まれる。いくつかの実施形態において、キャップが少なくとも部分的にコンテナー 304 から取り外されるとき、ケースユニット 320は、キャップ302に接続されたままになるよう設計されている。いくつかの実施形態において、さらにケースユニット320 は、コンテナー 304のキャップ 302上にフィットするように、例えば、コンテナー 302 のキャップ 304 の上でスナップするように形成されている。いくつかの実施形態では、コントローラー316は、コンテナー302 の飲料レベルの感知を最初のセンサー 310から受信し、少なくともコンテナーの飲料のレベルの様子に基づいてシグナル発生ユニット318を活性化にするよう設定されている。
【００４３】
いくつかの実施形態では、デバイス 300 はさらに、ケースユニット320 内にあるシグナル発生ユニット 318、コンテナー 304 の飲料レベルを感知するケースユニット 320 内にある最初のセンサー 310、 ケースユニット320 にあるコントローラー 316 を有することが可能である。本発明のいくつかの実施形態では、さらに、デバイス 300 に、底カバー 306、プリント回路基板308、バッテリー312、バッテリーホルダー 314 が含まれる。
【００４４】
いくつかの実施形態において、前記のケースユニット 320 と底カバー 306 の間にあるシグナル発生ユニット318、最初のセンサー310 、コントローラー 316 のように、底カバー 306 はケースユニット 320 に接続されている。底カバー 306 は、コンテナー304のキャップ302上に配置されるため凹み部分 307 を有することが可能である。コンテナーのキャップの上でケースユニットを閉じたとき、凹み307 は、ノズル 305 (例えば、注ぎ口)に平行して、並べられる。プリント回路基板 308 は、底カバー 306 上に配置されることが可能である。いくつかの実施形態では、最初のセンサー 310 は、底カバー306の凹み 307 内に配置され、さらにプリント基板 308 に接続されている。いくつかの実施形態では、少なくともコントローラー316およびシグナル発生ユニット318 は、プリント回路基板上におかれている。
【００４５】
いくつかの実施形態では、最初のセンサー310 はコンテナー 304内の飲料レベルを測定し、物質レベルに基づいて検知シグナルを発生する。いくつかの実施形態では、最初のセンサー310 は、コンテナーの 305 のノズルを通して物質のレベルを測定する。いくつかの実施形態では、首ノズルに開口部がある。いくつかの実施形態では、カップ304 がコンテナー 306 を閉じるとノズルが（液体の流れのために）閉じられ、閉じたノズルを浸透することができる方法、例えば、赤外線 (IR) 放射線、超音波振動などを用いて飲料レベルを測定するように最初のセンサー310 が設定されている。いくつかの実施形態では、最初のセンサー 310 は、光センサー、静電容量センサー、超音波センサーのいずれかから選択されている。
【００４６】
いくつかの実施形態では、バッテリー 312がプリント回路基板 308 に配置され、バッテリーホルダー314 がプリント回路基板 308のバッテリー 312 を保持するためにあり、感知したシグナルに基づいてアラームシグナルを発生させるためにプリント回路基板 308にコントローラー316が接続されている。いくつかの実施形態では、さらにデバイスにはコントローラー316に関連付けられている通信ユニット 322が含まれる。コントローラー316は、通信ユニット322 を介してユーザーデバイスと通信するように設定できる可能性がある。
【００４７】
いくつかの実施形態では、シグナル発生ユニット 318 は、コントローラー316からのアラームシグナルを受信すると出力シグナルを発生する。出力ユニット318 の例として、音声シグナルを発生するオーディオユニット、点灯する一つまたは複数の発光源 (LED) 、振動シグナルを発生する振動ユニットがあるが、その限りではない。
【００４８】
いくつかの実施形態では、底カバー 306、プリント回路基板 308、最初のセンサー310、 バッテリー312、バッテリーホルダー 314、コントローラー316、出力ユニット 318 を収納するためにケースユニット 320 が、コンテナー304 のキャップ302の上にクリップされうる。ケースユニット 320 はコンテナー 304のキャップ 302の形状とサイズに従って設計されることがある。ケースユニット 320はさらに、コンテナー 304 のキャップ 302 を受けとるためのキャップ受け取りエリアを有していることが可能である。キャップ受け取りエリアは、本発明の図 4に表示、解説されている。
【００４９】
いくつかの実施形態において、通信ユニット 322 にはユーザーデバイスとワイヤレスで通信するためにプリント回路基板308に接続されているワイヤレス通信ユニットが含まれる。いくつかの実施形態では、デバイス 300 には、コンテナー304から キャップ 302 が取り外されたことを感知する2番目のセンサー324 が含まれる。2 番目のセンサー324 は、コントローラー316の検知シグナルをリリースする。
【００５０】
最初のセンサー310 の例として、光学センサー、静電容量センサー、超音波センサーがあり、2 番目のセンサー324の例として、タッチセンサー、ジャイロ センサー、振動センサー、磁気センサー、光センサー、電気機械センサーがあるが、それらに限定されない。ワイヤレス通信ユニット322 の例は、本発明の図 1 のワイヤレス通信ユニット 120 に類似している。
【００５１】
本発明のいくつかの実施形態では、さらにデバイス 300にケースユニット 320 の環境条件を測定する第3 のセンサー 326 が含まれる。第 3 のセンサー326の例には、湿度センサー、温度センサー、UV センサー、光センサー、加速度センサー、ジャイロセンサー、磁気センサー、気圧センサーなどがあるが、その限りではない。いくつかの実施形態では、さらに環境条件の様子を第3 のセンサー326から受け取り、少なくとも環境条件の様子に基づいて発生シグナルユニット 318 の活性化を変更するようにコントローラー316が設定されている。
【００５２】
図 4 は、本発明のいくつかの実施形態に従ってデバイス300 の透視図を示す。デバイス 300 は、コンテナー 304 のキャップ 302 を受けとるためのキャップ受け取りエリア 402 を含んでいることが可能である。デバイス300は、キャップ 302 にむかってケースユニット 320 から下方に伸びるプレート 404、キャップ 302 上のケースユニット 320 を固定するのにプレート404上に設計された406a、406、406cのような複数バンパー406がある。
【００５３】
本発明は、ユーザーによって使用される物質の量など、さまざまな利点を提供している。たとえば、1日にユーザーによって消費される飲料の量、コンテナー内の物質レベルの検知に基づいて飲料を飲むことのお知らせ。ユーザーが朝から2 L しか飲んでいなければ、その後、定期的な間隔でより多くの飲料を飲むようユーザーに知らせる。さらに本発明は、粉末 (コーヒー、栄養サプリメント) などのコンテナー内のコンテンツの測定にも役立つ。
【符号の説明】
【００５４】
１００：デバイス
１０２：コンテナー
１０３：首
１０４：キャップ
１０５：凹み
１０６：プリント回路基板
１０８：最初のセンサー
１１０：バッテリー
１１２：バッテリーホルダー
１１４：コントローラー
１１６：出力ユニット
１１８：ケースユニット
１２０：ワイヤレス通信ユニット
１２２：2番目のセンサー
１２４：第3のセンサー
２０２：コンピューティングデバイス
３００：デバイス
３０２：キャップ
３０４：コンテナー
３０５：首
３０６：底カバー
３０７：凹み部分
３０８：プリント回路基板
３１０：最初のセンサー
３１２：バッテリー
３１４：バッテリーホルダー
３１６：コントローラー
３１８：シグナル発生ユニット
３２０：ケースユニット
３２２：通信ユニット
３２４：2番目のセンサー
３２６：第3のセンサー
４０２：キャップ受け取りエリア
４０４：プレート
４０６：バンパー
【図１】
2019504309.tif 000003
【図２】
2019504309.tif 000004
【図３】
2019504309.tif 000005
【図４】
2019504309.tif 000006
【国際調査報告】
2019504309.tif 000007
2019504309.tif 000008